(57)【要約】【課題】医療用撮像画像が表示される表示画面を見る者の利便性の向上を図ることが可能な、医療用表示制御装置、および表示制御方法を提供する。【解決手段】観察対象を撮像する撮像デバイスにより撮像された右目用の医療用撮像画像および左目用の医療用撮像画像の表示画面への表示と、ポインタオブジェクトの表示画面への表示とを制御する表示制御部を備え、表示制御部は、ポインタオブジェクトを、右目用の医療用撮像画像および左目用の医療用撮像画像の奥行き位置に対応するように表示させる、医療用表示制御装置が、提供される。【選択図】図５
2019154886.tif 000002
【特許請求の範囲】
【請求項１】
観察対象を撮像する撮像デバイスにより撮像された右目用の医療用撮像画像および左目用の医療用撮像画像の表示画面への表示と、ポインタオブジェクトの前記表示画面への表示とを制御する表示制御部を備え、
前記表示制御部は、前記ポインタオブジェクトを、前記右目用の医療用撮像画像および前記左目用の医療用撮像画像の奥行き位置に対応するように表示させる、医療用表示制御装置。
【請求項２】
前記表示制御部は、前記ポインタオブジェクトの奥行き位置を調整して、前記ポインタオブジェクトを、前記右目用の医療用撮像画像および前記左目用の医療用撮像画像の奥行き位置に対応するように表示させる、請求項１に記載の医療用表示制御装置。
【請求項３】
前記表示制御部は、前記ポインタオブジェクトの奥行き感が、前記右目用の医療用撮像画像および前記左目用の医療用撮像画像の奥行き感となるように、前記ポインタオブジェクトの奥行き位置を調整する、請求項２に記載の医療用表示制御装置。
【請求項４】
前記表示制御部は、前記ポインタオブジェクトの奥行き位置が、前記右目用の医療用撮像画像および前記左目用の医療用撮像画像の奥行き位置に近づくように、前記ポインタオブジェクトの奥行き位置を調整する、請求項２に記載の医療用表示制御装置。
【請求項５】
前記表示制御部は、前記ポインタオブジェクトの奥行き位置を、前記右目用の医療用撮像画像および前記左目用の医療用撮像画像の奥行き位置に調整する、請求項４に記載の医療用表示制御装置。
【請求項６】
前記表示制御部は、所定の操作に基づいて、ポインタオブジェクトの表示画面への表示を制御する、請求項１に記載の医療用表示制御装置。
【請求項７】
前記表示制御部は、
前記ポインタオブジェクトにより指し示す領域を決定する領域決定操作が行われる前は、前記ポインタオブジェクトを、前記右目用の医療用撮像画像および前記左目用の医療用撮像画像の奥行き位置よりも手前側の奥行き位置となるように、表示させ、
前記領域決定操作が行われた場合に、前記ポインタオブジェクトを、前記右目用の医療用撮像画像および前記左目用の医療用撮像画像の奥行き位置に対応するように表示させる、請求項６に記載の医療用表示制御装置。
【請求項８】
前記表示制御部は、
前記ポインタオブジェクトを移動させる移動操作に基づいて、前記移動操作に対応する前記表示画面の位置に前記ポインタオブジェクトを表示させ、
前記ポインタオブジェクトにより指し示す領域を設定する領域設定操作に基づいて、前記ポインタオブジェクトの大きさを前記領域設定操作に対応する大きさとなるように変更する、請求項６に記載の医療用表示制御装置。
【請求項９】
前記表示制御部は、前記ポインタオブジェクトの表示色を、前記表示画面に表示される医療用撮像画像に対応する色とし、
前記ポインタオブジェクトの表示色は、前記ポインタオブジェクトが表示される前記表示画面の位置における医療用撮像画像の色に応じて変更される、請求項１に記載の医療用表示制御装置。
【請求項１０】
前記表示制御部は、前記ポインタオブジェクトの表示色を、前記ポインタオブジェクトが表示される前記表示画面の位置における医療用撮像画像の色の補色とする、請求項９に記載の医療用表示制御装置。
【請求項１１】
前記表示制御部は、前記ポインタオブジェクトの表示色を、前記ポインタオブジェクトが指し示す領域に含まれる医療用撮像画像の色のうちの特定の色の補色とする、請求項９に記載の医療用表示制御装置。
【請求項１２】
前記特定の色は、前記ポインタオブジェクトが指し示す領域に含まれる医療用撮像画像の色のうちの、最も多い色成分の色である、請求項１１に記載の医療用表示制御装置。
【請求項１３】
複数のリンクが関節部によって互いに連結されて構成されるアームと、
前記アームにより支持されている前記撮像デバイスと、
をさらに備える、請求項１に記載の医療用表示制御装置。
【請求項１４】
患者の体内に挿入され、前記体内を前記観察対象として撮像する前記撮像デバイスをさらに備える、請求項１に記載の医療用表示制御装置。
【請求項１５】
観察対象を撮像する撮像デバイスにより撮像された右目用の医療用撮像画像および左目用の医療用撮像画像の表示画面への表示と、ポインタオブジェクトの前記表示画面への表示とを制御するステップを有し、
前記制御するステップでは、前記ポインタオブジェクトが、前記右目用の医療用撮像画像および前記左目用の医療用撮像画像の奥行き位置に対応するように表示される、医療用表示制御装置により実行される表示制御方法。
【発明の詳細な説明】
【技術分野】
【０００１】
本開示は、医療用表示制御装置、および表示制御方法に関する。
【背景技術】
【０００２】
近年、医療現場においては、例えば、脳神経外科手術などの微細手術（マイクロサージャリ）をサポートするためや、内視鏡手術を行うために、患部などの観察対象を拡大観察することが可能な医療用観察装置が用いられる場合がある。医療用観察装置としては、例えば、光学式の顕微鏡を備える医療用観察装置と、電子撮像式の顕微鏡として機能する撮像デバイスを備える医療用観察装置とが挙げられる。以下では、上記光学式の顕微鏡を備える医療用観察装置を「光学式の医療用観察装置」と示す。また、以下では、上記撮像デバイスを備える医療用観察装置を、「電子撮像式の医療用観察装置」または単に「医療用観察装置」と示す場合がある。また、以下では、医療用観察装置が備える撮像デバイスにより観察対象が撮像された撮像画像（動画像、または、静止画像。以下、同様とする。）を「医療用撮像画像」と示す。
【０００３】
電子撮像式の医療用観察装置は、撮像デバイスの高画質化や撮像された画像が表示される表示装置の高画質化などに伴い、光学式の医療用観察装置と同等以上の画質が得られるようになっている。また、電子撮像式の医療用観察装置を用いる利用者（例えば、術者や術者の助手などの医療従事者。以下、同様とする。）は、光学式の医療用観察装置を用いる場合のように光学式の顕微鏡を構成する接眼レンズを覗き込む必要はないので、撮像デバイスの位置をより自由に移動させることが可能である。そのため、電子撮像式の医療用観察装置が用いられることによって微細手術などをより柔軟にサポートすることができるという利点があり、医療現場での電子撮像式の医療用観察装置の利用が進んでいる。
【０００４】
このような中、医療器具の医療行為対象部に対する位置が所定範囲内あるいは所定経路上にあるか否かを確認可能とする技術が開発されている。上記技術としては、例えば下記の特許文献１に記載の技術が挙げられる。
【先行技術文献】
【特許文献】
【０００５】
【特許文献１】特開２００４−２２３１２８号公報
【発明の概要】
【発明が解決しようとする課題】
【０００６】
医療現場において電子撮像式の医療用観察装置が用いられる場合には、表示装置の表示画面に表示される医療用撮像画像は、術者、助手、看護師、指導医などの複数の者により同時に見られる。また、上記の場合において、一の者が、他の者に対して、表示画面に表示されている医療用撮像画像のうちの特定の注目箇所を伝えようとする場合、口頭による指示が用いられている。しかしながら、口頭による指示のような言葉によるコミュニケーションでは、上記注目箇所を的確に伝えることが困難な場合があった。
【０００７】
本開示では、医療用撮像画像が表示される表示画面を見る者の利便性の向上を図ることが可能な、新規かつ改良された医療用表示制御装置、および表示制御方法を提案する。
【課題を解決するための手段】
【０００８】
本開示によれば、観察対象を撮像する撮像デバイスにより撮像された右目用の医療用撮像画像および左目用の医療用撮像画像の表示画面への表示と、ポインタオブジェクトの上記表示画面への表示とを制御する表示制御部を備え、上記表示制御部は、上記ポインタオブジェクトを、上記右目用の医療用撮像画像および上記左目用の医療用撮像画像の奥行き位置に対応するように表示させる、医療用表示制御装置が、提供される。
【０００９】
また、本開示によれば、観察対象を撮像する撮像デバイスにより撮像された右目用の医療用撮像画像および左目用の医療用撮像画像の表示画面への表示と、ポインタオブジェクトの上記表示画面への表示とを制御するステップを有し、上記制御するステップでは、上記ポインタオブジェクトが、上記右目用の医療用撮像画像および上記左目用の医療用撮像画像の奥行き位置に対応するように表示される、医療用表示制御装置により実行される表示制御方法が、提供される。
【発明の効果】
【００１０】
本開示によれば、医療用撮像画像が表示される表示画面を見る者の利便性の向上を図ることができる。
【００１１】
なお、上記の効果は必ずしも限定的なものではなく、上記の効果とともに、または上記の効果に代えて、本明細書に示されたいずれかの効果、または本明細書から把握されうる他の効果が奏されてもよい。
【図面の簡単な説明】
【００１２】
【図１】本実施形態に係る医療用観察システムの構成の第１の例を示す説明図である。
【図２】本実施形態に係る医療用観察システムが使用されるユースケースの一例を示す説明図である。
【図３】本実施形態に係る医療用観察装置が備える撮像デバイスの構成の一例を説明するための説明図である。
【図４】本実施形態に係る医療用観察システムの構成の第２の例を示す説明図である。
【図５】本実施形態に係る医療用観察装置の構成の一例を示す機能ブロック図である。
【図６】本実施形態に係る表示制御方法に係る処理の第１の例を説明するための説明図である。
【図７】本実施形態に係る表示制御方法に係る処理の第１の例を説明するための説明図である。
【発明を実施するための形態】
【００１３】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１４】
また、以下では、下記に示す順序で説明を行う。
１．本実施形態に係る医療用観察システム、および本実施形態に係る表示制御方法
［１］医療用観察システムの構成
［１−１］第１の例に係る医療用観察システム
［１−２］第２の例に係る医療用観察システム
［１−３］医療用観察装置の機能構成
［２］本実施形態に係る表示制御方法
［２−１］本実施形態に係る表示制御方法に係る処理
［２−２］本実施形態に係る表示制御方法に係る処理の例
［３］本実施形態に係る表示制御方法が用いられることにより奏される効果の一例
２．本実施形態に係るプログラム
【００１５】
（本実施形態に係る医療用観察システム、および本実施形態に係る表示制御方法）
以下、本実施形態に係る医療用観察システムの一例を説明しつつ、本実施形態に係る表示制御方法について説明する。
【００１６】
以下では、本実施形態に係る医療用観察装置が本実施形態に係る表示制御方法に係る処理を行う場合、すなわち、本実施形態に係る医療用観察装置が医療用表示制御装置として機能する場合について、主に説明する。なお、本実施形態に係る医療用観察システムにおいて、医療用表示制御装置として機能する装置は、本実施形態に係る医療用観察装置に限られない。例えば、本実施形態に係る医療用観察システムでは、後述する表示装置が、本実施形態に係る表示制御方法に係る処理を行う医療用表示制御装置として機能してもよい。また、本実施形態に係る医療用観察システムでは、メディカルコントローラなどの本実施形態に係る表示制御方法に係る処理を行うことが可能な任意の装置が、医療用表示制御装置として機能しうる。
【００１７】
［１］医療用観察システムの構成
［１−１］第１の例に係る医療用観察システム
図１は、本実施形態に係る医療用観察システム１０００の構成の第１の例を示す説明図である。図１に示す医療用観察システム１０００は、例えば、医療用観察装置１００と、表示装置２００とを有する。
【００１８】
なお、第１の例に係る医療用観察システムは、図１に示す例に限られない。
【００１９】
例えば、第１の例に係る医療用観察システムは、医療用観察装置１００における各種動作を制御する医療用制御装置（図示せず）を、さらに有していてもよい。図１に示す医療用観察システム１０００では、後述するように、医療用観察装置１００が制御部（後述する）を備えることにより、医療用観察装置１００が医療用制御装置（図示せず）の機能を有している例を示している。
【００２０】
医療用制御装置（図示せず）としては、例えば、“メディカルコントローラ”や、“サーバなどのコンピュータ”などが、挙げられる。また、医療用制御装置（図示せず）は、例えば、上記のような機器に組み込むことが可能な、ＩＣ（Integrated  Circuit）であってもよい。
【００２１】
また、第１の例に係る医療用観察システムは、医療用観察装置１００と表示装置２００との一方または双方を複数有する構成であってもよい。医療用観察装置１００を複数有する場合、医療用観察装置１００それぞれにおいて、後述する表示制御方法に係る処理が行われる。また、第１の例に係る医療用観察システムが医療用観察装置１００と表示装置２００とを複数有する構成である場合、医療用観察装置１００と表示装置２００とが一対一に対応付けられていてもよいし、複数の医療用観察装置１００が１つの表示装置２００に対応付けられていてもよい。複数の医療用観察装置１００が１つの表示装置２００に対応付けられている場合、表示装置２００では、例えば切り替え操作などが行われることによって、どの医療用観察装置１００において撮像された医療用撮像画像を表示画面に表示させるのかが、切り替えられる。
【００２２】
図２は、本実施形態に係る医療用観察システム１０００が使用されるユースケースの一例を示す説明図であり、第１の例に係る医療用観察システム１０００が使用されるユースケースの一例を示している。
【００２３】
医療用観察装置１００が備える撮像デバイス（後述する）によって、観察対象の患者ＰＡ（医療行為を受ける対象の患者）が撮像される。上記医療行為を受ける対象の患者が撮像された撮像画像が、医療用撮像画像の一例に該当する。
【００２４】
医療用観察装置１００において撮像された医療用撮像画像は、表示装置２００の表示画面に表示される。そして、医療用観察装置１００を用いて医療行為を行う術者ＯＰ（医療用観察装置１００の使用者の一例）は、表示装置２００の表示画面に表示されている医療用撮像画像を見ながら、患者ＰＡに対して医療行為を行う。
【００２５】
また、術者ＯＰは、フットスイッチＦＳなどの医療用観察装置１００の外部の操作デバイス、または、医療用観察装置１００が備える操作デバイス（後述する）を操作することによって、医療用観察装置１００が備えるアーム（後述する）や撮像デバイス（後述する）などを動作させ、医療用観察装置１００を所望の状態にさせる。
【００２６】
以下、図１に示す第１の例に係る医療用観察システム１０００を構成する各装置について、説明する。
【００２７】
［１−１−１］表示装置２００
表示装置２００は、第１の例に係る医療用観察システム１０００における表示手段であり、医療用観察装置１００からみて外部の表示デバイスに該当する。表示装置２００は、例えば、医療用観察装置１００において撮像された医療用撮像画像や、ＵＩ（User  Interface）に係る画像などの、様々な画像を表示画面に表示する。また、表示装置２００は、任意の方式により３Ｄ表示が可能な構成を有していてもよい。表示装置２００における表示は、例えば、医療用観察装置１００、または、医療用制御装置（図示せず）によって制御される。
【００２８】
医療用観察システム１０００において表示装置２００は、手術室の壁面や天井、床面などの、手術室内において術者などの手術に関わる者により視認されうる任意の場所に設置される。
【００２９】
表示装置２００としては、例えば、液晶ディスプレイや有機ＥＬ（Electro-Luminescence）ディスプレイ、ＣＲＴ（Cathode  Ray  Tube）ディスプレイなどが挙げられる。
【００３０】
なお、表示装置２００は、上記に示す例に限られない。例えば、表示装置２００は、ヘッドマウントディスプレイやアイウェア型の装置などのような、術者などが身体に装着して用いる任意のウェアラブル装置であってもよい。
【００３１】
表示装置２００は、例えば、表示装置２００が備えているバッテリなどの内部電源から供給される電力、または、接続されている外部電源から供給される電力などによって、駆動する。
【００３２】
［１−１−２］医療用観察装置１００
図１に示す医療用観察装置１００は、電子撮像式の医療用観察装置である。例えば手術時に図１に示す医療用観察装置１００が用いられる場合、術者（医療用観察装置１００の使用者の一例）は、医療用観察装置１００により撮像されて、表示装置２００の表示画面に表示された医療用撮像画像を参照しながら術部（患部）を観察し、当該術部に対して、術式に応じた手技などの各種処置を行う。
【００３３】
図１に示すように、医療用観察装置１００は、例えば、ベース１０２と、アーム１０４と、撮像デバイス１０６とを備える。
【００３４】
また、図１では示していないが、医療用観察装置１００は、例えば、ＭＰＵ（Micro  Processing  Unit）などの演算回路で構成される、１または２以上のプロセッサ（図示せず）と、ＲＯＭ（Read  Only  Memory。図示せず）と、ＲＡＭ（Random  Access  Memory。図示せず）と、記録媒体（図示せず）と、通信デバイス（図示せず）とを、備えていてもよい。医療用観察装置１００は、例えば、医療用観察装置１００が備えているバッテリなどの内部電源から供給される電力、または、接続されている外部電源から供給される電力などによって、駆動する。
【００３５】
プロセッサ（図示せず）は、医療用観察装置１００における制御部（後述する）として機能する。ＲＯＭ（図示せず）は、プロセッサ（図示せず）が使用するプログラムや演算パラメータなどの制御用データを記憶する。ＲＡＭ（図示せず）は、プロセッサ（図示せず）により実行されるプログラムなどを一時的に記憶する。
【００３６】
記録媒体（図示せず）は、医療用観察装置１００における記憶部（図示せず）として機能する。記録媒体（図示せず）には、例えば、本実施形態に係る表示制御方法に係るデータや、各種アプリケーションなどの、様々なデータが記憶される。ここで、記録媒体（図示せず）としては、例えば、ハードディスクなどの磁気記録媒体や、フラッシュメモリなどの不揮発性メモリなどが挙げられる。また、記録媒体（図示せず）は、医療用観察装置１００から着脱可能であってもよい。
【００３７】
通信デバイス（図示せず）は、医療用観察装置１００が備える通信手段であり、表示装置２００などの外部装置と、無線または有線で通信を行う役目を果たす。ここで、通信デバイス（図示せず）としては、例えば、ＩＥＥＥ８０２．１５．１ポートおよび送受信回路（無線通信）や、ＩＥＥＥ８０２．１１ポートおよび送受信回路（無線通信）、通信アンテナおよびＲＦ回路（無線通信）、あるいはＬＡＮ端子および送受信回路（有線通信）などが挙げられる。
【００３８】
［１−１−２−１］ベース１０２
ベース１０２は、医療用観察装置１００の基台であり、アーム１０４の一端が接続されて、アーム１０４と撮像デバイス１０６とを支持する。
【００３９】
また、ベース１０２には例えばキャスタが設けられ、医療用観察装置１００は、キャスタを介して床面と接地する。キャスタが設けられることにより、医療用観察装置１００は、キャスタによって床面上を容易に移動することが可能である。
【００４０】
［１−１−２−２］アーム１０４
アーム１０４は、複数のリンクが関節部によって互いに連結されて構成される。
【００４１】
また、アーム１０４は、撮像デバイス１０６を支持する。アーム１０４により支持された撮像デバイス１０６は３次元的に移動可能であり、移動後の撮像デバイス１０６は、アーム１０４によって、位置および姿勢が保持される。
【００４２】
より具体的には、アーム１０４は、例えば、複数の関節部１１０ａ、１１０ｂ、１１０ｃ、１１０ｄ、１１０ｅ、１１０ｆと、関節部１１０ａ、１１０ｂ、１１０ｃ、１１０ｄ、１１０ｅ、１１０ｆによって互いに回動可能に連結される複数のリンク１１２ａ、１１２ｂ、１１２ｃ、１１２ｄ、１１２ｅ、１１２ｆとから構成される。関節部１１０ａ、１１０ｂ、１１０ｃ、１１０ｄ、１１０ｅ、１１０ｆそれぞれの回転可能範囲は、アーム１０４の所望の動きが実現されるように、設計段階や製造段階などにおいて任意に設定される。
【００４３】
つまり、図１に示す医療用観察装置１００では、アーム１０４を構成する６つの関節部１１０ａ、１１０ｂ、１１０ｃ、１１０ｄ、１１０ｅ、１１０ｆに対応する６つの回転軸（第１軸Ｏ１、第２軸Ｏ２、第３軸Ｏ３、第４軸Ｏ４、第５軸Ｏ５、および第６軸Ｏ６）によって、撮像デバイス１０６の移動に関して６自由度が実現されている。より具体的には、図１に示す医療用観察装置１００では、並進３自由度、および回転３自由度の６自由度の動きが実現される。
【００４４】
関節部１１０ａ、１１０ｂ、１１０ｃ、１１０ｄ、１１０ｅ、１１０ｆそれぞれには、アクチュエータ（図示せず）が設けられ、関節部１１０ａ、１１０ｂ、１１０ｃ、１１０ｄ、１１０ｅ、１１０ｆそれぞれは、アクチュエータ（図示せず）の駆動によって、対応する回転軸で回転する。アクチュエータ（図示せず）の駆動は、例えば、後述する制御部として機能するプロセッサ、または、外部の医療用制御装置（図示せず）によって制御される。
【００４５】
関節部１１０ａ、１１０ｂ、１１０ｃ、１１０ｄ、１１０ｅ、１１０ｆそれぞれには、６つの回転軸における回転角度をそれぞれ検出することが可能な角度センサ（図示せず）が、設けられうる。角度センサとしては、例えば、ロータリエンコーダや角速度センサなどの、６つの回転軸それぞれにおける回転角度を得ることが可能な任意のセンサが、挙げられる。
【００４６】
関節部１１０ａ、１１０ｂ、１１０ｃ、１１０ｄ、１１０ｅ、１１０ｆそれぞれが、アクチュエータ（図示せず）の駆動により対応する回転軸で回転することによって、例えばアーム１０４を伸ばす、縮める（折り畳む）などの、様々なアーム１０４の動作が、実現される。
【００４７】
関節部１１０ａは、略円柱形状を有し、関節部１１０ａの先端部分（図１における下端部分）で、撮像デバイス１０６（図１における撮像デバイス１０６の上端部分）を、撮像デバイス１０６の中心軸と平行な回転軸（第１軸Ｏ１）まわりに回動可能なように支持する。ここで、医療用観察装置１００は、第１軸Ｏ１が撮像デバイス１０６における光軸と一致するように構成される。つまり、図１に示す第１軸Ｏ１まわりに撮像デバイス１０６を回動させることによって、撮像デバイス１０６により撮像された医療用撮像画像は、視野が回転するように変更される画像となる。
【００４８】
リンク１１２ａは、略棒状の部材であり、関節部１１０ａを固定的に支持する。リンク１１２ａは、例えば、第１軸Ｏ１と直交する方向に延伸され、関節部１１０ｂに接続される。
【００４９】
関節部１１０ｂは、略円柱形状を有し、リンク１１２ａを、第１軸Ｏ１と直交する回転軸（第２軸Ｏ２）まわりに回動可能なように支持する。また、関節部１１０ｂには、リンク１１２ｂが固定的に接続される。
【００５０】
リンク１１２ｂは、略棒状の部材であり、第２軸Ｏ２と直交する方向に延伸される。また、リンク１１２ｂには、関節部１１０ｂと関節部１１０ｃとがそれぞれ接続される。
【００５１】
関節部１１０ｃは、略円柱形状を有し、リンク１１２ｂを、第１軸Ｏ１および第２軸Ｏ２それぞれと互いに直交する回転軸（第３軸Ｏ３）まわりに回動可能なように支持する。また、関節部１１０ｃには、リンク１１２ｃの一端が固定的に接続される。
【００５２】
ここで、第２軸Ｏ２および第３軸Ｏ３まわりにアーム１０４の先端側（撮像デバイス１０６が設けられる側）が回動することによって、水平面内での撮像デバイス１０６の位置が変更されるように、撮像デバイス１０６を移動させることができる。つまり、医療用観察装置１００では、第２軸Ｏ２および第３軸Ｏ３まわりの回転が制御されることにより、医療用撮像画像の視野を平面内で移動させることが可能になる。
【００５３】
リンク１１２ｃは、一端が略円柱形状を有し、他端が略棒状を有する部材である。リンク１１２ｃの一端側には、関節部１１０ｃの中心軸と略円柱形状の中心軸とが同一となるように、関節部１１０ｃが固定的に接続される。また、リンク１１２ｃの他端側には、関節部１１０ｄが接続される。
【００５４】
関節部１１０ｄは、略円柱形状を有し、リンク１１２ｃを、第３軸Ｏ３と直交する回転軸（第４軸Ｏ４）まわりに回動可能なように支持する。関節部１１０ｄには、リンク１１２ｄが固定的に接続される。
【００５５】
リンク１１２ｄは、略棒状の部材であり、第４軸Ｏ４と直交するように延伸される。リンク１１２ｄの一端は、関節部１１０ｄの略円柱形状の側面に当接するように、関節部１１０ｄに固定的に接続される。また、リンク１１２ｄの他端（関節部１１０ｄが接続される側とは反対側の端）には、関節部１１０ｅが接続される。
【００５６】
関節部１１０ｅは、略円柱形状を有し、リンク１１２ｄの一端を、第４軸Ｏ４と平行な回転軸（第５軸Ｏ５）まわりに回動可能なように支持する。また、関節部１１０ｅには、リンク１１２ｅの一端が固定的に接続される。
【００５７】
ここで、第４軸Ｏ４および第５軸Ｏ５は、撮像デバイス１０６を垂直方向に移動させうる回転軸である。第４軸Ｏ４および第５軸Ｏ５まわりにアーム１０４の先端側（撮像デバイス１０６が設けられる側）が回動することによって、撮像デバイス１０６の垂直方向の位置が変わる。よって、第４軸Ｏ４および第５軸Ｏ５まわりにアーム１０４の先端側（撮像デバイス１０６が設けられる側）が回動することによって、撮像デバイス１０６と、患者の術部などの観察対象との距離を変えることが、可能となる。
【００５８】
リンク１１２ｅは、一辺が鉛直方向に延伸するとともに他辺が水平方向に延伸する略Ｌ字形状を有する第１の部材と、当該第１の部材の水平方向に延伸する部位から鉛直下向きに延伸する棒状の第２の部材とが、組み合わされて構成される部材である。リンク１１２ｅの第１の部材の鉛直方向に延伸する部位には、関節部１１０ｅが固定的に接続される。また、リンク１１２ｅの第２の部材には、関節部１１０ｆが接続される。
【００５９】
関節部１１０ｆは、略円柱形状を有し、リンク１１２ｅを、鉛直方向と平行な回転軸（第６軸Ｏ６）まわりに回動可能なように支持する。また、関節部１１０ｆには、リンク１１２ｆが固定的に接続される。
【００６０】
リンク１１２ｆは、略棒状の部材であり、鉛直方向に延伸される。リンク１１２ｆの一端は、関節部１１０ｆが接続される。また、リンク１１２ｆの他端（関節部１１０ｆが接続される側とは反対側の端）は、ベース１０２に固定的に接続される。
【００６１】
アーム１０４が上記に示す構成を有することによって、医療用観察装置１００では、撮像デバイス１０６の移動に関して６自由度が実現される。
【００６２】
なお、アーム１０４の構成は、上記に示す例に限られない。
【００６３】
例えば、アーム１０４の関節部１１０ａ、１１０ｂ、１１０ｃ、１１０ｄ、１１０ｅ、１１０ｆそれぞれには、関節部１１０ａ、１１０ｂ、１１０ｃ、１１０ｄ、１１０ｅ、１１０ｆそれぞれにおける回転を規制するブレーキが設けられていてもよい。本実施形態に係るブレーキとしては、例えば、機械的に駆動するブレーキや、電気的に駆動する電磁ブレーキなど、任意の方式のブレーキが挙げられる。
【００６４】
上記ブレーキの駆動は、例えば、後述する制御部として機能するプロセッサ、または、外部の医療用制御装置（図示せず）によって制御される。上記ブレーキの駆動が制御されることにより、医療用観察装置１００では、アーム１０４の動作モードが設定される。アーム１０４の動作モードとしては、例えば、固定モードとフリーモードとが挙げられる。
【００６５】
ここで、本実施形態に係る固定モードとは、例えば、アーム１０４に設けられる各回転軸における回転がブレーキにより規制されることにより、撮像デバイス１０６の位置および姿勢が固定される動作モードである。アーム１０４が固定モードとなることによって、医療用観察装置１００の動作状態は、撮像デバイス１０６の位置および姿勢が固定される固定状態となる。
【００６６】
また、本実施形態に係るフリーモードとは、上記ブレーキが解除されることにより、アーム１０４に設けられる各回転軸が自由に回転可能となる動作モードである。例えば、フリーモードでは、術者による直接的な操作によって撮像デバイス１０６の位置および姿勢を調整することが可能となる。ここで、本実施形態に係る直接的な操作とは、例えば、術者が手で撮像デバイス１０６を把持し、当該撮像デバイス１０６を直接移動させる操作のことを意味する。
【００６７】
［１−１−２−３］撮像デバイス１０６
撮像デバイス１０６は、アーム１０４により支持され、例えば患者の術部などの観察対象を撮像する。撮像デバイス１０６における撮像は、例えば、後述する制御部として機能するプロセッサ、または、外部の医療用制御装置（図示せず）によって制御される。
【００６８】
撮像デバイス１０６は、例えば電子撮像式の顕微鏡に対応する構成を有する。
【００６９】
図３は、本実施形態に係る医療用観察装置１００が備える撮像デバイス１０６の構成の一例を説明するための説明図である。
【００７０】
撮像デバイス１０６は、例えば、撮像部材１２０と、略円筒形状を有する筒状部材１２２とを有し、撮像部材１２０は、筒状部材１２２内に設けられる。
【００７１】
筒状部材１２２の下端（図３における下側の端）の開口面には、例えば、撮像部材１２０を保護するためのカバーガラス（図示せず）が設けられる。
【００７２】
また、例えば筒状部材１２２の内部には光源（図示せず）が設けられ、撮像時には、当該光源からカバーガラス越しに被写体に対して照明光が照射される。照明光が照射された被写体からの反射光（観察光）が、カバーガラス（図示せず）を介して撮像部材１２０に入射することにより、撮像部材１２０によって被写体を示す画像信号（医療用撮像画像を示す画像信号）が得られる。
【００７３】
撮像部材１２０としては、各種の公知の電子撮像式の顕微鏡部に用いられている構成を適用することが可能である。
【００７４】
一例を挙げると、撮像部材１２０は、例えば、光学系１２０ａと、光学系１２０ａを通過した光により観察対象の像を撮像する撮像素子を含むイメージセンサ１２０ｂとで構成される。光学系１２０ａは、例えば、対物レンズ、ズームレンズおよびフォーカスレンズなどの１または２以上のレンズとミラーなどの光学素子で構成される。イメージセンサ１２０ｂとしては、例えば、ＣＭＯＳ（Complementary  Metal  Oxide  Semiconductor）やＣＣＤ（Charge  Coupled  Device）などの撮像素子を複数用いたイメージセンサが、挙げられる。
【００７５】
撮像部材１２０は、例えば、光学系１２０ａおよびイメージセンサ１２０ｂで構成される撮像デバイスを、２つ以上有することなどにより、いわゆるステレオカメラとして機能する。ステレオカメラとして機能する撮像デバイス１０６の構成において、光学系は、ガリレオ式光学系であってもよいし、グリノー式光学系であってもよい。
【００７６】
以下では、後述する第２の例に係る医療用観察システムを構成する医療用観察装置１００を含む本実施形態に係る医療用観察装置１００が、ステレオカメラとして機能する複数の撮像デバイスを備え、複数の撮像デバイスそれぞれの撮像によって、右目用の医療用撮像画像および左目用の医療用撮像画像を含む複数の医療用撮像画像が得られる場合を例に挙げる。
【００７７】
撮像部材１２０を構成する撮像デバイスには、ズーム機能（光学ズーム機能と電子ズーム機能との一方または双方）、ＡＦ（Auto  Focus）機能などの、一般的に電子撮像式の顕微鏡部に備えられる１または２以上の機能が搭載される。
【００７８】
また、撮像部材１２０は、例えば４Ｋ、８Ｋなどの、いわゆる高解像度での撮像が可能な構成であってもよい。撮像部材１２０が高解像度での撮像が可能に構成されることにより、所定の解像度（例えば、Ｆｕｌｌ  ＨＤ画質など）を確保しつつ、例えば５０インチ以上などの大画面の表示画面を有する表示装置２００に画像を表示させることが可能となるので、当該表示画面を見る術者の視認性が向上する。また、撮像部材１２０が高解像度での撮像が可能に構成されることにより、撮像画像が電子ズーム機能によって拡大されて表示装置２００の表示画面に表示されたとしても、所定の解像度を確保することが可能となる。さらに、電子ズーム機能を用いて所定の解像度が確保される場合には、撮像デバイス１０６における光学ズーム機能の性能を抑えることが可能となるので、撮像デバイス１０６の光学系をより簡易にすることができ、撮像デバイス１０６をより小型に構成することができる。
【００７９】
撮像デバイス１０６には、例えば、撮像デバイス１０６の動作を制御するための各種の操作デバイスが設けられる。例えば図３では、ズームスイッチ１２４と、フォーカススイッチ１２６と、動作モード変更スイッチ１２８とが、撮像デバイス１０６に設けられている。なお、ズームスイッチ１２４、フォーカススイッチ１２６、および動作モード変更スイッチ１２８が設けられる位置と形状とが、図３に示す例に限られないことは、言うまでもない。
【００８０】
ズームスイッチ１２４とフォーカススイッチ１２６とは、撮像デバイス１０６における撮像条件を調整するための操作デバイスの一例である。
【００８１】
ズームスイッチ１２４は、例えば、ズーム倍率（拡大率）を大きくするズームインスイッチ１２４ａと、ズーム倍率を小さくするズームアウトスイッチ１２４ｂとで構成される。ズームスイッチ１２４に対する操作が行われることによりズーム倍率が調整されて、ズームが調整される。
【００８２】
フォーカススイッチ１２６は、例えば、観察対象（被写体）までの焦点距離を遠くする遠景フォーカススイッチ１２６ａと、観察対象までの焦点距離を近くする近景フォーカススイッチ１２６ｂとで構成される。フォーカススイッチ１２６に対する操作が行われることにより焦点距離が調整されて、フォーカスが調整される。
【００８３】
動作モード変更スイッチ１２８は、撮像デバイス１０６におけるアーム１０４の動作モードを変更するための操作デバイスの一例である。動作モード変更スイッチ１２８に対する操作が行われることにより、アーム１０４の動作モードが変更される。アーム１０４の動作モードとしては、例えば上述したように、固定モードとフリーモードとが挙げられる。
【００８４】
動作モード変更スイッチ１２８に対する操作の一例としては、動作モード変更スイッチ１２８を押下する操作が、挙げられる。例えば、術者が動作モード変更スイッチ１２８を押下している間、アーム１０４の動作モードがフリーモードとなり、術者が動作モード変更スイッチ１２８を押下していないときには、アーム１０４の動作モードが固定モードとなる。
【００８５】
また、撮像デバイス１０６には、各種操作デバイスに対する操作を行う操作者が操作を行う際の操作性や利便性などをより高めるために、例えば、滑り止め部材１３０と、突起部材１３２とが設けられる。
【００８６】
滑り止め部材１３０は、例えば操作者が筒状部材１２２を手などの操作体で操作を行う際に、操作体の滑りを防止するために設けられる部材である。滑り止め部材１３０は、例えば、摩擦係数が大きい材料で形成され、凹凸などのより滑りにくい構造を有する。
【００８７】
突起部材１３２は、操作者が筒状部材１２２を手などの操作体で操作を行う際に、当該操作体が光学系１２０ａの視野を遮ってしまうことや、当該操作体で操作を行う際に、カバーガラス（図示せず）に当該操作体が触れることにより当該カバーガラスが汚れることなどを、防止するために設けられる部材である。
【００８８】
なお、滑り止め部材１３０および突起部材１３２それぞれが設けられる位置と形状とが、図３に示す例に限られないことは、言うまでもない。また、撮像デバイス１０６には、滑り止め部材１３０と突起部材１３２との一方または双方が設けれられていなくてもよい。
【００８９】
撮像デバイス１０６における撮像により生成された画像信号（画像データ）は、例えば後述する制御部として機能するプロセッサにおいて、画像処理が行われる。本実施形態に係る画像処理としては、例えば、ガンマ補正、ホワイトバランスの調整、電子ズーム機能に係る画像の拡大または縮小、または、画素間補正などの各種処理のうちの、１または２以上の処理が、挙げられる。
【００９０】
なお、本実施形態に係る医療用観察システムが、医療用観察装置１００における各種動作を制御する医療用制御装置（図示せず）を有する場合には、本実施形態に係る画像処理は、当該医療用制御装置（図示せず）において行われてもよい。
【００９１】
医療用観察装置１００は、例えば、表示制御信号と、上記のような画像処理が行われた画像信号とを、表示装置２００に送信する。
【００９２】
表示制御信号と画像信号とが表示装置２００に送信されることによって、表示装置２００の表示画面には、観察対象が撮像された医療用撮像画像（例えば、術部が撮像された撮像画像）が、光学ズーム機能と電子ズーム機能との一方または双方によって所望の倍率に拡大または縮小されて表示される。
【００９３】
図１に示す医療用観察装置１００は、例えば図１、図３を参照して示したハードウェア構成を有する。
【００９４】
なお、本実施形態に係る医療用観察装置のハードウェア構成は、図１、図３を参照して示した構成に限られない。
【００９５】
例えば、本実施形態に係る医療用観察装置は、ベース１０２を備えず、手術室などの天井や壁面などにアーム１０４が直接取り付けられる構成であってもよい。例えば、天井にアーム１０４が取り付けられる場合には、本実施形態に係る医療用観察装置は、アーム１０４が天井から吊り下げられる構成となる。
【００９６】
また、図１では、アーム１０４が、撮像デバイス１０６の駆動に関して６自由度が実現されるように構成されている例を示しているが、アーム１０４の構成は、撮像デバイス１０６の駆動に関する自由度が６自由度となる構成に限られない。例えば、アーム１０４は、用途に応じて撮像デバイス１０６を適宜移動しうるように構成されればよく、関節部およびリンクの数や配置、関節部の駆動軸の方向などは、アーム１０４が所望の自由度を有するように適宜設定することが可能である。
【００９７】
また、図１、図３では、撮像デバイス１０６の動作を制御するための各種の操作デバイスが、撮像デバイス１０６に設けられる例を示しているが、図１、図３に示す操作デバイスのうちの一部または全部は、撮像デバイス１０６に設けられなくてもよい。一例を挙げると、撮像デバイス１０６の動作を制御するための各種の操作デバイスは、本実施形態に係る医療用観察装置を構成する撮像デバイス１０６以外の他の部位に設けられていてもよい。また、他の例を挙げると、撮像デバイス１０６の動作を制御するための各種の操作デバイスは、フットスイッチＦＳやリモートコントローラなどの、外部の操作デバイスであってもよい。
【００９８】
また、撮像デバイス１０６は、複数の観察モードを切り替えることが可能な構成であってもよい。本実施形態に係る観察モードとしては、例えば、自然光で撮像を行う観察モード、特殊光で撮像を行う観察モード、ＮＢＩ（Narrow  Band  Imaging）などの画像強調観察技術を利用して撮像を行う観察モードなどが、挙げられる。本実施形態に係る特殊光とは、例えば、近赤外線の波長帯域の光や、５−ＡＬＡ（5-Aminolevulinic  Acid）を用いた蛍光観察の蛍光波長帯域の光など、特定の波長帯域の光である。
【００９９】
複数の観察モードを切り替えることが可能な撮像デバイス１０６の構成の一例としては、例えば、“特定の波長帯域の光を透過させ、他の波長帯域の光を透過させないフィルタと、当該フィルタを光路上に選択的に配置する移動機構と、を備える構成”が、挙げられる。本実施形態に係るフィルタが透過させる特定の波長帯域としては、例えば、近赤外線の波長帯域（例えば、約０．７［マイクロメートル］〜２．５［マイクロメートル］の波長帯域）や、５−ＡＬＡを用いた蛍光観察による蛍光波長帯域（例えば、約０．６［マイクロメートル］〜０．６５［マイクロメートル］の波長帯域）、ＩＣＧ（Indocyanine  Green）の蛍光波長帯域（例えば、約０．８２［マイクロメートル］〜０．８５［マイクロメートル］の波長帯域）などが、挙げられる。
【０１００】
なお、撮像デバイス１０６には、透過させる波長帯域が異なる複数のフィルタが設けられていてもよい。また、上記では、フィルタが光路上に配置されることにより、特定の波長帯域の光で撮像が行われる例を示したが、特定の波長帯域の光で撮像を行うための撮像デバイス１０６の構成が、上記に示す例に限られないことは、言うまでもない。
【０１０１】
［１−２］第２の例に係る医療用観察システム
本実施形態に係る医療用観察システム１０００は、図１に示す第１の例に示す構成に限られない。次に、医療用観察システム１０００の他の例として、内視鏡装置として機能する医療用観察装置１００を有する医療用観察システム１０００の構成の一例を説明する。
【０１０２】
図４は、本実施形態に係る医療用観察システム１０００の構成の第２の例を示す説明図である。図４に示す医療用観察システム１０００は、例えば、医療用観察装置１００と、表示装置２００とを有する。例えば図４に示す医療用観察装置１００が手術時に用いられる場合、術者は、医療用観察装置１００により撮像されて、表示装置２００の表示画面に表示された医療用撮像画像を参照しながら術部を観察し、当該術部に対して、術式に応じた手技などの各種処置を行う。
【０１０３】
なお、第２の例に係る医療用観察システムは、図４に示す例に限られない。
【０１０４】
例えば、第２の例に係る医療用観察システムは、第１の例に係る医療用観察システムと同様に、医療用観察装置１００における各種動作を制御する医療用制御装置（図示せず）を、さらに有していてもよい。
【０１０５】
また、第２の例に係る医療用観察システムは、第１の例に係る医療用観察システムと同様に、医療用観察装置１００と表示装置２００との一方または双方を複数有する構成であってもよい。
【０１０６】
以下、図４に示す第２の例に係る医療用観察システム１０００を構成する各装置について、説明する。
【０１０７】
［１−２−１］表示装置２００
表示装置２００は、第２の例に係る医療用観察システム１０００における表示手段であり、医療用観察装置１００からみて外部の表示デバイスに該当する。第２の例に係る医療用観察システム１０００を構成する表示装置２００は、第１の例に係る医療用観察システム１０００を構成する表示装置２００と同様である。
【０１０８】
［１−２−２］医療用観察装置１００
図４に示す医療用観察装置１００は、例えば、挿入部材１３４と、光源ユニット１３６と、ライトガイド１３８と、カメラヘッド１４０と、ケーブル１４２と、制御ユニット１４４とを備える。医療用観察装置１００は、例えば、医療用観察装置１００が備えているバッテリなどの内部電源から供給される電力、または、接続されている外部電源から供給される電力などによって、駆動する。
【０１０９】
挿入部材１３４は、細長形状を有し、入射光を集光する光学系を内部に備える。挿入部材１３４の先端は、例えば、患者の体腔内に挿入される。挿入部材１３４の後端はカメラヘッド１４０の先端と着脱可能に接続される。また、挿入部材１３４は、ライトガイド１３８を介して光源ユニット１３６と接続され、光源ユニット１３６から光が供給される。
【０１１０】
挿入部材１３４は、例えば、可撓性を有さない素材で形成されてもよいし、可撓性を有する素材で形成されてもよい。挿入部材１３４を形成する素材によって、医療用観察装置１００は、硬性鏡または軟性鏡と呼ばれうる。
【０１１１】
光源ユニット１３６は、ライトガイド１３８を介して挿入部材１３４と接続される。光源ユニット１３６は、ライトガイド１３８を介して挿入部材１３４に光を供給する。
【０１１２】
光源ユニット１３６は、例えば、波長が異なる光を発光する複数の光源を有する。光源ユニット１３６が有する複数の光源としては、例えば、赤色の光を発光する光源、緑色の光を発光する光源、および青色の光を発光する光源が挙げられる。赤色の光を発光する光源としては、例えば、１または２以上の赤色発光ダイオードが挙げられる。緑色の光を発光する光源としては、例えば、１または２以上の緑色発光ダイオードが挙げられる。青色の光を発光する光源としては、例えば、１または２以上の青色発光ダイオードが挙げられる。なお、光源ユニット１３６が有する複数の光源が、上記に示す例に限られないことは、言うまでもない。光源ユニット１３６は、例えば、複数の光源を単一チップで有し、または、複数の光源を複数のチップで有する。
【０１１３】
光源ユニット１３６は、制御ユニット１４４と有線または無線で接続され、光源ユニット１３６における発光は、制御ユニット１４４により制御される。
【０１１４】
挿入部材１３４に供給された光は、挿入部材１３４の先端から出射され、患者の体腔内組織などの観察対象に照射される。そして、観察対象からの反射光は、挿入部材１３４内の光学系によって集光される。
【０１１５】
カメラヘッド１４０は、観察対象を撮像する機能を有する。カメラヘッド１４０は、信号伝送部材であるケーブル１４２を介して制御ユニット１４４と接続される。
【０１１６】
カメラヘッド１４０は、イメージセンサを有し、挿入部材１３４によって集光された観察対象からの反射光を光電変換することにより観察対象を撮像し、撮像によって得られた画像信号（医療用撮像画像を示す信号）を制御ユニット１４４へケーブル１４２を介して出力する。カメラヘッド１４０が有するイメージセンサとしては、例えば、ＣＭＯＳやＣＣＤなどの撮像素子を複数用いたイメージセンサが、挙げられる。
【０１１７】
内視鏡装置として機能する医療用観察装置１００では、例えば、挿入部材１３４、光源ユニット１３６、およびカメラヘッド１４０が、“患者の体内に挿入されて、体内を撮像する撮像デバイス”の役目を果たす。
【０１１８】
なお、内視鏡装置として機能する医療用観察装置１００は、例えば、いわゆるステレオカメラとして機能する複数の撮像デバイスを備える構成であってもよい。ステレオカメラとして機能する撮像デバイスの構成において、光学系は、第１の例に係る医療用観察システムを構成する医療用観察装置１００と同様に、ガリレオ式光学系であってもよいし、グリノー式光学系であってもよい。
【０１１９】
制御ユニット１４４は、撮像デバイスを制御する。より具体的には、制御ユニット１４４は、光源ユニット１３６およびカメラヘッド１４０それぞれを制御する。
【０１２０】
また、制御ユニット１４４は、通信デバイス（図示せず）を含み、カメラヘッド１４０から出力された画像信号を任意の無線通信または任意の有線通信で、表示装置２００へ送信する。制御ユニット１４４は、画像信号と表示制御信号とを表示装置２００へ送信してもよい。
【０１２１】
制御ユニット１４４が含む通信デバイス（図示せず）としては、例えば、ＩＥＥＥ８０２．１５．１ポートおよび送受信回路（無線通信）や、ＩＥＥＥ８０２．１１ポートおよび送受信回路（無線通信）、通信アンテナおよびＲＦ回路（無線通信）、光通信用デバイス（有線通信または無線通信）、あるいはＬＡＮ端子および送受信回路（有線通信）などが挙げられる。通信デバイス（図示せず）は、複数の通信方式によって、１または２以上の外部装置と通信を行うことが可能な構成であってもよい。
【０１２２】
また、制御ユニット１４４は、カメラヘッド１４０から出力された画像信号に対して所定の処理を行い、所定の処理が行われた画像信号を表示装置２００へ送信してもよい。画像信号に対する所定の処理としては、例えば、ホワイトバランスの調整や、電子ズーム機能に係る画像の拡大または縮小、画素間補正などが、挙げられる。
【０１２３】
なお、制御ユニット１４４は、画像信号に基づく医療用撮像画像を記憶してもよい。
【０１２４】
制御ユニット１４４としては、例えばＣＣＵ（Camera  Control  Unit）が挙げられる。
【０１２５】
内視鏡装置として機能する医療用観察装置１００は、例えば図４を参照して示したハードウェア構成を有する。内視鏡装置として機能する医療用観察装置１００では、例えば、挿入部材１３４、光源ユニット１３６、およびカメラヘッド１４０が、撮像デバイスの役目を果たし、制御ユニット１４４により撮像デバイスにおける撮像が制御される。
【０１２６】
［１−３］医療用観察装置１００の機能構成
次に、図１、図４に示す医療用観察装置１００を、機能ブロックを用いて説明する。図５は、本実施形態に係る医療用観察装置１００の構成の一例を示す機能ブロック図である。
【０１２７】
医療用観察装置１００は、例えば、撮像部１５０と、通信部１５２と、制御部１５４とを備える。
【０１２８】
撮像部１５０は、観察対象を撮像する。撮像部１５０は、例えば、“撮像デバイス１０６”（図１に示す医療用観察装置１００の場合）や、“挿入部材１３４、光源ユニット１３６、およびカメラヘッド１４０”
（図４に示す医療用観察装置１００の場合）で構成される。撮像部１５０における撮像は、例えば制御部１５４によって制御される。
【０１２９】
通信部１５２は、医療用観察装置１００が備える通信手段であり、表示装置２００などの外部装置と無線または有線で通信を行う役目を果たす。通信部１５２は、例えば上述した通信デバイス（図示せず）で構成される。通信部１５２における通信は、例えば制御部１５４によって制御される。
【０１３０】
制御部１５４は、例えば上述したプロセッサ（図示せず）で構成され、医療用観察装置１００全体を制御する役目を果たす。また、制御部１５４は、後述する表示制御方法に係る処理を主導的に行う役目を果たす。なお、制御部１５４における表示制御方法に係る処理は、複数の処理回路（例えば、複数のプロセッサなど）で分散して行われてもよい。
【０１３１】
より具体的には、制御部１５４は、例えば、撮像制御部１５６と、表示制御部１５８とを有する。
【０１３２】
撮像制御部１５６は、撮像部１５０を構成する撮像デバイスを制御する。撮像デバイスの制御としては、例えば、少なくともズーム機能（光学ズーム機能および電子ズーム機能）を含む、ＡＦ機能の制御などの一般的に電子撮像式の顕微鏡部に備えられる１または２以上の機能の制御が、挙げられる。
【０１３３】
表示制御部１５８は、本実施形態に係る表示制御方法に係る処理を行い、医療用撮像画像の表示画面への表示の制御と、ポインタオブジェクトの表示画面への表示の制御とを行う。
【０１３４】
表示制御部１５８における医療用撮像画像の表示画面への表示の制御としては、例えば、右目用の医療用撮像画像および左目用の医療用撮像画像それぞれを表示画面に表示させる制御（３Ｄ表示の制御）が挙げられる。なお、表示制御部１５８は、右目用の医療用撮像画像または左目用の医療用撮像画像の一方を表示させることによって、２Ｄ表示の制御を行うことも可能である。以下では、表示制御部１５８が、右目用の医療用撮像画像および左目用の医療用撮像画像それぞれを表示画面に表示させる場合を例に挙げる。
【０１３５】
本実施形態に係るポインタオブジェクトとは、表示画面上に表示するための表示オブジェクトの一例である。ポインタオブジェクトは、表示画面に表示されることによって、表示画面上に表示されている医療用撮像画像上の領域を指し示す役目を果たす。ポインタオブジェクトにより指し示めされる医療用撮像画像上の領域は、アノテーション領域と捉えることが可能である。
【０１３６】
ポインタオブジェクトが指し示す領域の形状、大きさは、ポインタオブジェクトの形状、大きさにより変わりうる。ポインタオブジェクトの形状は、予め設定されている固定の形状であってもよいし、医療用観察装置１００の利用者の操作に基づき可変する形状であってもよい。また、ポインタオブジェクトの大きさは、例えば、後述する領域設定操作のような医療用観察装置１００の利用者の操作に基づき可変する。
【０１３７】
ポインタオブジェクトは、設定されている表示色で表示される。ポインタオブジェクトの表示色は、予め設定されている固定の色であってもよいし、医療用観察装置１００の利用者の操作などに基づき変更可能な色であってもよい。また、ポインタオブジェクトの表示色は、後述する本実施形態に係る表示制御方法に係る処理によって、表示画面に表示される医療用撮像画像に対応する色となるように、自動的に設定されてもよい。
【０１３８】
表示制御部１５８は、本実施形態に係る表示制御方法に係る処理を行うことによって、例えば、ポインタオブジェクトを、右目用の医療用撮像画像および左目用の医療用撮像画像の奥行き位置に対応するように表示させる。本実施形態に係る表示制御方法に係る処理の一例、および本実施形態に係るポインタオブジェクトの一例については、後述する。
【０１３９】
また、表示制御部１５８は、例えば、表示制御信号と画像信号とを通信部１５２を構成する通信デバイス（図示せず）に伝達し、表示制御信号と画像信号とを表示装置２００に対して送信させることによって、表示装置２００における表示を制御する。なお、通信部１５２における通信の制御は、制御部１５４を構成する通信制御部（図示せず）により行われてもよい。
【０１４０】
また、表示制御部１５８は、画像信号に対応するデータを、記憶部（図示せず）として機能する記録媒体（図示せず）や、外部の記録媒体などの任意の記録媒体に、記録させてもよい。記録媒体に記録させる画像信号に対応するデータは、後述するポインタオブジェクトが医療用撮像画像に重畳されているデータであってもよいし、後述するポインタオブジェクトが重畳されていない医療用撮像画像を示すデータであってもよい。後述するポインタオブジェクトが医療用撮像画像に重畳されているデータとしては、例えば、ポインタオブジェクトが医療用撮像画像に合成されているデータが挙げられる。なお、ポインタオブジェクトを示すデータと医療用撮像画像を示すデータとは、任意の方法で対応付けて記録されてもよい。上記ポインタオブジェクトを示すデータは、例えば、３次元情報として記録され、医療用撮像画像と共にポインタオブジェクトが表示されるときには、ポインタオブジェクトは、医療用撮像画像に重畳して表示される。例えば後述するポインタオブジェクトが医療用撮像画像に重畳されているデータが、記録媒体に記憶されることによって、術後の検討目的や、教育目的など、様々な目的に当該データを使用することが、可能となる。
【０１４１】
制御部１５４は、例えば、表示制御部１５８を有することにより、本実施形態に係る表示制御方法に係る処理を主導的に行う役目を果たす。また、制御部１５４は、例えば、撮像制御部１５６、および表示制御部１５８を有することによって、医療用観察装置１００全体を制御する役目を果たす。
【０１４２】
なお、制御部１５４の機能構成は、図５に示す例に限られない。
【０１４３】
例えば、制御部１５４は、本実施形態に係る表示制御方法に係る処理の切り分け方に応じた構成など、医療用観察装置１００が有する機能の切り分け方に応じた、任意の構成を有することが可能である。
【０１４４】
一例を挙げると、医療用観察装置１００が図１に示す構成である場合、制御部１５４は、アーム１０４の駆動を制御するアーム制御部（図示せず）をさらに有していてもよい。アーム１０４の駆動の制御の一例としては、例えば、“関節部１１０ａ、１１０ｂ、１１０ｃ、１１０ｄ、１１０ｅ、１１０ｆそれぞれに対応するアクチュエータ（図示せず）に対して、駆動を制御する制御信号を印加すること”などが挙げられる。
【０１４５】
医療用観察装置１００は、例えば図５に示す機能構成によって、後述する本実施形態に係る表示制御方法に係る処理を行う。
【０１４６】
なお、本実施形態に係る医療用観察装置の機能構成は、図５に示す構成に限られない。
【０１４７】
例えば、本実施形態に係る医療用観察装置は、図５に示す撮像制御部１５６と表示制御部１５８との一方または双方を、制御部１５４とは個別に備える（例えば、別の処理回路で実現する）ことができる。
【０１４８】
また、本実施形態に係る医療用観察装置において本実施形態に係る表示制御方法に係る処理を実行することが可能な機能構成は、図５に示す構成に限られず、例えば、本実施形態に係る医療用観察装置は、本実施形態に係る表示制御方法に係る処理の切り分け方に応じた機能構成をとることが可能である。
【０１４９】
また、本実施形態に係る医療用観察装置が図１に示す構成である場合、本実施形態に係る医療用観察装置は、アーム１０４で構成されるアーム部（図示せず）を有する。アーム部（図示せず）を構成するアーム１０４は、撮像部１５０を構成する撮像デバイス１０６を支持する。
【０１５０】
また、例えば、通信部１５２と同様の機能、構成を有する外部の通信デバイスを介して外部装置と通信を行う場合には、本実施形態に係る医療用観察装置は、通信部１５２を備えていなくてもよい。
【０１５１】
また、本実施形態に係る医療用観察システムが、医療用制御装置（図示せず）を有する構成であり、本実施形態に係る医療用観察装置が当該医療用制御装置（図示せず）により制御される場合、本実施形態に係る医療用観察装置は、制御部１５４を備えていなくてもよい。
【０１５２】
ここで、医療用制御装置（図示せず）は、例えば、制御部１５４と同様の機能、構成を有する制御部を備えることによって、後述する本実施形態に係る表示制御方法に係る処理を行い、また、本実施形態に係る医療用観察装置が備える撮像部１５０などの各構成要素における動作を制御する。医療用制御装置（図示せず）は、備えている通信デバイス、または、接続されている外部の通信デバイスを介して、本実施形態に係る医療用観察装置と通信を行うことによって、本実施形態に係る医療用観察装置が備える各構成要素における動作を制御する。
【０１５３】
さらに、本実施形態に係る医療用観察システムが、医療用制御装置（図示せず）を有する構成であり、本実施形態に係る医療用観察装置が当該医療用制御装置（図示せず）により制御される場合、本実施形態に係る医療用観察装置は、制御部１５４の一部の機能を有さない構成をとることも可能である。
【０１５４】
［２］本実施形態に係る表示制御方法
次に、本実施形態に係る表示制御方法について、説明する。以下では、本実施形態に係る表示制御方法に係る処理を医療用観察装置１００（より具体的には、例えば医療用観察装置１００を構成する制御部１５４が有する表示制御部１５８）が行う場合を例に挙げる。なお、上述したように、本実施形態に係る医療用観察システムにおいて、本実施形態に係る表示制御方法に係る処理は、表示装置２００や、医療用制御装置（図示せず）などにより行われてもよい。
【０１５５】
［２−１］本実施形態に係る表示制御方法に係る処理
上述したように、医療現場において、医療用観察装置１００のような電子撮像式の医療用観察装置が用いられる場合には、表示装置２００の表示画面に表示される医療用撮像画像は、複数の医療従事者などの複数の者により見られる。また、上記の場合において、一の者が、他の者に対して、表示画面に表示されている医療用撮像画像のうちの特定の注目箇所を伝えようとする場合、口頭による指示が用いられている。しかしながら、口頭による指示のような言葉によるコミュニケーションでは、上記注目箇所を的確に伝えることが困難な場合があった。
【０１５６】
そこで、医療用観察装置１００は、表示画面に医療用撮像画像を表示させると共に、ポインタオブジェクトを表示画面に表示させる。医療用撮像画像が表示されている表示画面に、ポインタオブジェクトが表示されることにより、表示画面を見る者それぞれは、ポインタオブジェクトが指し示す領域を、視覚的に認識することができる。よって、表示画面に表示されている医療用撮像画像のうちの注目箇所を言葉によるコミュニケーションによって伝えるよりも的確に注目箇所を伝えることができ、かつ、表示画面を見る者それぞれに対して同時に伝えることが可能である。よって、医療用観察装置１００がポインタオブジェクトを表示画面に表示させることによって、医療用撮像画像が表示される表示画面を見る者の利便性の向上を図ることができる。
【０１５７】
また、上記のように医療用撮像画像の注目箇所をポインタオブジェクトにより指し示す場合、注目箇所の伝達の精度をより高めるためには、ポインタオブジェクトにより指し示される箇所（換言すると、ポインタオブジェクトにより指し示される観察対象の部位）が明確にすることが望ましい。
【０１５８】
そこで、医療用観察装置１００は、右目用の医療用撮像画像および左目用の医療用撮像画像を表示させる場合、すなわち、医療用撮像画像を立体画像として表示画面を見る者それぞれに認識させる場合には、ポインタオブジェクトを、右目用の医療用撮像画像および左目用の医療用撮像画像の奥行き位置に対応するように表示させる。
【０１５９】
右目用の医療用撮像画像および左目用の医療用撮像画像の奥行き位置は、例えば、“右目用の医療用撮像画像と左目用の医療用撮像画像との対応位置それぞれにおける距離”を得ることにより特定される。右目用の医療用撮像画像および左目用の医療用撮像画像の奥行き位置は、画像深度とも呼ばれる。以下では、右目用の医療用撮像画像および左目用の医療用撮像画像の奥行き位置を「画像深度」で表す場合がある。
【０１６０】
“右目用の医療用撮像画像と左目用の医療用撮像画像との対応位置それぞれにおける距離”は、例えば、下記の（ａ）の処理および（ｂ）の処理を行うことによって得られる。下記の（ａ）の処理および（ｂ）の処理は、医療用観察装置１００により行われてもよいし、医療用制御装置（図示せず）などの医療用観察装置１００の外部装置において行われてもよい。以下では、下記の（ａ）の処理および（ｂ）の処理が医療用観察装置１００により行われる場合を例に挙げる。
【０１６１】
（ａ）対応付け処理
医療用観察装置１００は、例えば、右目用の医療用撮像画像および左目用の医療用撮像画像それぞれから特徴部分を抽出し、抽出された特徴部分をマッチングすることにより、右目用の医療用撮像画像および左目用の医療用撮像画像を対応付ける。
【０１６２】
医療用撮像画像における特徴部分は、例えば、任意のエッジ検出処理により検出されたエッジと任意の外周調査処理の結果との一方または双方など、画像から特徴部分を抽出することが可能な任意の技術を用いて抽出される。また、医療用観察装置１００は、例えばパターンマッチングなど、抽出された特徴部分を比較して同一の被写体を同定することが可能な任意の技術を用いて、右目用の医療用撮像画像および左目用の医療用撮像画像を対応付ける。
【０１６３】
（ｂ）距離算出処理
医療用観察装置１００は、上記（ａ）の処理（対応付け処理）により対応付けられた対応点ごとに、奥行き位置に該当する距離（画像深度）を算出する。
【０１６４】
医療用観察装置１００は、例えば下記の数式１に示す演算を行うことによって、距離ｚ（画像深度）を算出する。下記の数式１に示す“ｈ”は、右目用の医療用撮像画像を撮像する撮像デバイスと左目用の医療用撮像画像を撮像する撮像デバイスとの距離（すなわち、基線長）であり、既知の値である。下記の数式１に示す“ｆ”は、右目用の医療用撮像画像を撮像する撮像デバイスおよび左目用の医療用撮像画像を撮像する撮像デバイスの焦点距離であり、既知の値である。下記の数式１に示す“ｘ”は、左目用の医療用撮像画像における対応点のｘ座標を示し、下記の数式１に示す“ｘ’”は、右目用の医療用撮像画像における対応点のｘ座標を示している。
【０１６５】
ｚ＝ｈ・ｆ／｜ｘ−ｘ’｜
・・・（数式１）
【０１６６】
例えば上記（ａ）の処理および上記（ｂ）の処理が行われることによって、“右目用の医療用撮像画像と左目用の医療用撮像画像との対応位置それぞれにおける距離”を得ることが可能である。なお、“右目用の医療用撮像画像と左目用の医療用撮像画像との対応位置それぞれにおける距離”を得ることが可能な処理が、上記（ａ）の処理および上記（ｂ）の処理に限られないことは、言うまでもない。
【０１６７】
医療用観察装置１００は、“ポインタオブジェクトの奥行き位置を調整し、奥行き位置が調整されたポインタオブジェクトを表示させること”によって、“ポインタオブジェクトを、右目用の医療用撮像画像および左目用の医療用撮像画像の奥行き位置に対応するように表示させること”を実現する。
【０１６８】
ポインタオブジェクトの奥行き位置の調整とは、例えば、“右目用の医療用撮像画像上の領域を指し示す右目用のポインタオブジェクトと、左目用の医療用撮像画像上の領域を指し示す左目用のポインタオブジェクトとに関して、上記数式１に示す“ｚ”を調整すること“に該当する。
【０１６９】
医療用観察装置１００は、ポインタオブジェクトの奥行き位置が、右目用の医療用撮像画像および左目用の医療用撮像画像の奥行き位置に近づくように、ポインタオブジェクトの奥行き位置を調整する。
【０１７０】
上記のように奥行き位置が調整されたポインタオブジェクトが表示されることによって、表示画面を見る者が感じる右目用の医療用撮像画像および左目用の医療用撮像画像の奥行き感と、表示画面を見る者が感じるポインタオブジェクトの奥行き感とを、近づけることが可能となる。また、表示画面を見る者が感じる、右目用の医療用撮像画像および左目用の医療用撮像画像の奥行き感とポインタオブジェクトの奥行き感とが、同一となれば、表示画面を見る者に、ポインタオブジェクトにより指し示される箇所をより明確に認識させることができる。
【０１７１】
よって、医療用観察装置１００は、ポインタオブジェクトの奥行き感が、右目用の医療用撮像画像および左目用の医療用撮像画像の奥行き感となるように、ポインタオブジェクトの奥行き位置を調整し、奥行き位置が調整されたポインタオブジェクトを表示させる。
【０１７２】
具体例を挙げると、医療用観察装置１００は、例えば、ポインタオブジェクトの奥行き位置を、右目用の医療用撮像画像および左目用の医療用撮像画像の奥行き位置に調整する。なお、医療用観察装置１００は、例えば、“ポインタオブジェクトの奥行き位置と、右目用の医療用撮像画像および左目用の医療用撮像画像の奥行き位置との差”が、設定されている閾値以下となるように（または、当該差が当該閾値よりも小さくなるように）、ポインタオブジェクトの奥行き位置を調整してもよい。上記閾値は、予め設定されている固定値であってもよいし、医療用観察装置１００の利用者の操作などに基づき変更可能な可変値であってもよい。
【０１７３】
医療用観察装置１００は、所定の操作に基づいて、ポインタオブジェクトの表示画面への表示を制御する。
【０１７４】
本実施形態に係る所定の操作の種類としては、例えば下記に示す操作が挙げられる。
・移動操作：ポインタオブジェクトを移動させるための操作
・領域設定操作：ポインタオブジェクトにより指し示す領域を設定するための操作（例えば、ポインタオブジェクトの形状と、ポインタオブジェクトの大きさとの一方または双方を変えることが可能な操作）
・領域決定操作：ポインタオブジェクトにより指し示す領域を決定するための操作
【０１７５】
本実施形態に係る所定の操作としては、例えば、医療用観察装置１００が備える操作デバイスに対する操作、リモートコントローラやフットスイッチＦＳなどの外部の操作デバイスに対する操作、ジェスチャによる操作（視線、手などのジェスチャ認識が可能な任意の認識対象の動きによる操作）、音声による操作のうちの一部、または全部が、挙げられる。
【０１７６】
医療用観察装置１００は、例えば、“各種操作デバイスに対して行われた操作に応じた操作信号が検出された場合”、“任意のジェスチャ認識処理が行われることにより得られる、視線、手などの任意の認識対象の動きから、特定の動きが検出された場合”、あるいは、“任意の音声認識処理が行われることにより得られる音声の認識結果から、特定の音声が検出された場合”に、所定の操作が行われたと判定する。上記特定の動きの検出に用いる動きデータ、上記特定の音声の検出に用いる文字列データ（または音声データ）は、例えば、記憶部（図示せず）として機能する記録媒体（図示せず）に記憶される。上記任意のジェスチャ認識処理と、上記任意の音声認識処理とは、医療用観察装置１００により行われてもよいし、医療用制御装置（図示せず）などの医療用観察装置１００の外部装置において行われてもよい。
【０１７７】
所定の操作が行われたと判定されると、医療用観察装置１００は、判定された所定の操作に対応するように、ポインタオブジェクトの表示画面への表示を制御する。
【０１７８】
以下、本実施形態に係る表示制御方法に係る処理の具体例として、所定の操作に基づきポインタオブジェクトの表示が制御される場合の一例を説明する。
【０１７９】
（１）本実施形態に係る表示制御方法に係る処理の第１の例
図６は、本実施形態に係る表示制御方法に係る処理の第１の例を説明するための説明図であり、所定の操作として、移動操作、領域設定操作、および領域決定操作が順番に行われる場合の一例を示している。図６のＡは、移動操作が行われる場合における表示画面の表示の一例を示しており、図６のＢは、領域設定操作が行われる場合における表示画面の表示の一例を示している。図６のＣは、領域決定操作が行われる場合における表示画面の表示の一例を示している。
【０１８０】
図６のＡ、図６のＢ、図６のＣそれぞれに示す“Ｏ”は、本実施形態に係るポインタオブジェクトの一例を示している。なお、本実施形態に係るポインタオブジェクトの形状、大きさが、図６のＡ、図６のＢ、図６のＣそれぞれに示す例に限られないことは、言うまでもない。
【０１８１】
移動操作が行われたことが判定されると、医療用観察装置１００は、例えば図６のＡに示すように、判定された移動操作に対応するようにポインタオブジェクトを移動させる。
【０１８２】
領域設定操作が行われたことが判定されると、医療用観察装置１００は、例えば図６のＢに示すように、判定された領域設定操作に対応するようにポインタオブジェクトの大きさを大きくし、ポインタオブジェクトが指し示す領域を広げる。なお、医療用観察装置１００は、判定された領域設定操作に対応するようにポインタオブジェクトの大きさを小さくして、ポインタオブジェクトが指し示す領域を狭めることも可能である。
【０１８３】
領域決定操作が行われたことが判定されると、医療用観察装置１００は、例えば図６のＣに示すように、ポインタオブジェクトを、右目用の医療用撮像画像および左目用の医療用撮像画像の奥行き位置に対応するように表示させる。例えば図６のＡ、図６のＢに示す例のように、ポインタオブジェクトが円形のオブジェクトである場合、医療用観察装置１００は、右目用の医療用撮像画像および左目用の医療用撮像画像の奥行き位置（画像深度）に合わせて、円形のオブジェクトを変形させる。
【０１８４】
図７は、本実施形態に係る表示制御方法に係る処理の第１の例を説明するための説明図であり、図６を参照して示したようなポインタオブジェクトの表示の制御の例を、別の表現で表した図である。図７では、説明の便宜上、右目用の医療用撮像画像と左目用の医療用撮像画像とのうちの一方の医療用撮像画像に対応するポインタオブジェクトの表示の制御の例を示している。図７のＡ、図７のＢ、図７のＣ、および図７のＤそれぞれの横軸は、医療用撮像画像におけるある水平ラインを示している。図７のＡ、図７のＢ、図７のＣ、および図７のＤそれぞれの縦軸は、画像深度を示している。図７のＡ、図７のＢは、図６のＡに示す移動操作が行われる場合に対応し、図７のＣは、図６のＢに示す領域設定操作が行われる場合に対応する。図７のＤは、図６のＣに示す領域決定操作が行われる場合に対応する。
【０１８５】
図７のＡ、図７のＢ、図７のＣに示すように、医療用観察装置１００は、領域決定操作が行われる前は、ポインタオブジェクトを、右目用の医療用撮像画像および左目用の医療用撮像画像の奥行き位置（画像深度）よりも手前側の奥行き位置となるように、表示させる。
【０１８６】
また、図７のＤに示すように、医療用観察装置１００は、領域決定操作が行われた場合に、ポインタオブジェクトを、右目用の医療用撮像画像および左目用の医療用撮像画像の奥行き位置（画像深度）に対応するように表示させる。
【０１８７】
なお、図７のＤでは、１つのポインタオブジェクトＯを表しているが、医療用観察装置１００は、右目用の医療用撮像画像上の領域を指し示す右目用のポインタオブジェクトと、左目用の医療用撮像画像上の領域を指し示す左目用のポインタオブジェクトとを表示させてもよい。この場合、右目用のポインタオブジェクトおよび左目用のポインタオブジェクトそれぞれの奥行き位置は、例えば、右目用の医療用撮像画像および左目用の医療用撮像画像の奥行き位置となるように調整される。
【０１８８】
（２）本実施形態に係る表示制御方法に係る処理の第２の例
所定の操作に基づきポインタオブジェクトの表示が制御される例は、図６、図７を参照して示した第１の例に限られない。
【０１８９】
所定の操作として、移動操作、領域設定操作、および領域決定操作が順番に行われる場合、医療用観察装置１００は、例えば、領域設定操作および領域決定操作それぞれが行われた場合に、ポインタオブジェクトを、右目用の医療用撮像画像および左目用の医療用撮像画像の奥行き位置に対応するように表示させてもよい。
【０１９０】
第２の例に係る処理が行われる場合、移動操作が行われているときには、ポインタオブジェクトは、移動操作に対応するように移動すると共に、図７のＡ、図７のＢに示すように、右目用の医療用撮像画像および左目用の医療用撮像画像の奥行き位置（画像深度）よりも手前側の奥行き位置となるように、表示される。また、第２の例に係る処理が行われる場合、領域設定操作が行われたときには、ポインタオブジェクトは、例えば、大きさが変化すると共に、右目用の医療用撮像画像および左目用の医療用撮像画像の奥行き位置に対応するように表示される。また、第２の例に係る処理が行われる場合、領域決定操作が行われたときには、ポインタオブジェクトは、右目用の医療用撮像画像および左目用の医療用撮像画像の奥行き位置に対応するように表示される。なお、領域設定操作または領域決定操作が行われた後に、移動操作が再度行われた場合には、医療用観察装置１００は、ポインタオブジェクトを、右目用の医療用撮像画像および左目用の医療用撮像画像の奥行き位置よりも手前側の奥行き位置となるように表示させてもよいし、右目用の医療用撮像画像および左目用の医療用撮像画像の奥行き位置に対応するように表示させてもよい。
【０１９１】
（３）本実施形態に係る表示制御方法に係る処理の第３の例
所定の操作に基づきポインタオブジェクトの表示が制御される例は、上記第１の例および上記第２の例に限られない。
【０１９２】
所定の操作として、移動操作、領域設定操作、および領域決定操作が順番に行われる場合、医療用観察装置１００は、例えば、移動操作、領域設定操作、および領域決定操作それぞれが行われた場合に、ポインタオブジェクトを、右目用の医療用撮像画像および左目用の医療用撮像画像の奥行き位置に対応するように表示させてもよい。
【０１９３】
第３の例に係る処理が行われる場合、移動操作が行われているときには、移動操作に対応するように移動すると共に、右目用の医療用撮像画像および左目用の医療用撮像画像の奥行き位置に対応するように表示される。また、第３の例に係る処理が行われる場合、領域設定操作が行われたときには、ポインタオブジェクトは、例えば、大きさが変化すると共に、右目用の医療用撮像画像および左目用の医療用撮像画像の奥行き位置に対応するように表示される。また、第３の例に係る処理が行われる場合、領域決定操作が行われたときには、ポインタオブジェクトは、右目用の医療用撮像画像および左目用の医療用撮像画像の奥行き位置に対応するように表示される。
【０１９４】
つまり、第３の例に係る処理が行われる場合、行われる所定の操作の種類によらず、ポインタオブジェクトは、右目用の医療用撮像画像および左目用の医療用撮像画像の奥行き位置に対応するように表示される。
【０１９５】
所定の操作に基づきポインタオブジェクトの表示を制御する例としては、例えば上記（１）に示す第１の例〜上記（３）に示す第３の例が挙げられる。なお、所定の操作に基づきポインタオブジェクトの表示を制御する例が、上記に示す例に限られないことは、言うまでもない。
【０１９６】
医療用観察装置１００は、本実施形態に係る表示制御方法に係る処理を行うことにより、ポインタオブジェクトを、右目用の医療用撮像画像および左目用の医療用撮像画像の奥行き位置に対応するように表示させる。
【０１９７】
ポインタオブジェクトが右目用の医療用撮像画像および左目用の医療用撮像画像の奥行き位置に対応するように表示されることによって、表示画面を見る者は、ポインタオブジェクトにより指し示される箇所をより明確に把握することが可能となる。
【０１９８】
したがって、ポインタオブジェクトを、右目用の医療用撮像画像および左目用の医療用撮像画像の奥行き位置に対応するように表示させることによって、医療用観察装置１００は、単にポインタオブジェクトを表示画面に表示させる場合よりも、医療用撮像画像が表示される表示画面を見る者の利便性の向上を図ることができる。
【０１９９】
なお、本実施形態に係る表示制御方法に係る処理は、上記に示す例に限られない。
【０２００】
例えば、医療用観察装置１００は、ポインタオブジェクトの表示色を、表示画面に表示される医療用撮像画像に対応する色となるように制御してもよい。
【０２０１】
医療用観察装置１００が、ポインタオブジェクトの表示色を、表示画面に表示される医療用撮像画像に対応する色となるように制御することによって、ポインタオブジェクトの表示色は、ポインタオブジェクトが表示される表示画面の位置における医療用撮像画像の色に応じて変更される。
【０２０２】
医療用観察装置１００は、例えば、ポインタオブジェクトの表示色を、ポインタオブジェクトが表示される表示画面の位置における医療用撮像画像の色の補色とする。ポインタオブジェクトの表示色を上記医療用撮像画像の色の補色とすることによって、ポインタオブジェクトを目立たせ、ポインタオブジェクトをより認識し易くすることができるという効果が、奏される。なお、ポインタオブジェクトの表示色は、完全な補色に限られず、医療用撮像画像と対比したときにポインタオブジェクトを目立たせることが可能な、任意の色であってもよいことは、言うまでもない。
【０２０３】
図６に示す円形のポインタオブジェクトＯを例に挙げると、ポインタオブジェクトの表示色としては、ポインタオブジェクトＯの形状を規定する枠の色が挙げられる。具体例を挙げると、図６に示す円形のポインタオブジェクトＯが表示される表示画面の位置に、観察対象の患者の骨が存在する場合、医療用観察装置１００は、ポインタオブジェクトＯの表示色を、骨の色（白色）の補色である黒色とする。また、図６に示す円形のポインタオブジェクトＯが表示される表示画面の位置に、観察対象の患者の血液が存在する場合、医療用観察装置１００は、ポインタオブジェクトＯの表示色を、血液の色（赤色）の補色であるシアン色とする。なお、“ポインタオブジェクトの表示色を、ポインタオブジェクトが表示される表示画面の位置における医療用撮像画像の色の補色とする例”が、上記に示す例に限られないことは、言うまでもない。
【０２０４】
なお、ポインタオブジェクトの表示色を、表示画面に表示される医療用撮像画像に対応する色となるように制御する処理は、上記に示す例に限られない。
【０２０５】
例えば、医療用観察装置１００は、ポインタオブジェクトの表示色を、“ポインタオブジェクトが指し示す領域に含まれる医療用撮像画像の色のうちの特定の色”の補色としてもよい。上記特定の色としては、例えば“ポインタオブジェクトが指し示す領域に含まれる医療用撮像画像の色のうちの、最も多い色成分の色”が、挙げられる。医療用観察装置１００は、例えば、ポインタオブジェクトが指し示す領域に含まれる医療用撮像画像の色のヒストグラムを算出して、上記最も多い色成分の色を特定する。
【０２０６】
例えば上記のように、ポインタオブジェクトの表示色を上記特定の色の補色とする場合には、ポインタオブジェクトの表示色を均一なものとすることができる。また、ポインタオブジェクトの表示色は、上記最も多い色成分の色などの特定の色の補色であるので、ポインタオブジェクトを目立たせ、ポインタオブジェクトをより認識し易くすることができるという効果は、奏される。
【０２０７】
［３］本実施形態に係る表示制御方法が用いられることにより奏される効果の一例
本実施形態に係る表示制御方法が用いられることによって、例えば下記に示す効果が奏される。なお、本実施形態に係る表示制御方法が用いられることにより奏される効果が、下記に示す例に限られないことは、言うまでもない。
・注目させ確認をさせたい注目箇所を、ポインタオブジェクトによって強調することが可能となるので、表示画面上で複数の者に同時に注目箇所を的確に伝えることができる。なお、ポインタオブジェクトが表示されるときにも、口頭での意思伝達が行われてもよい。
・口頭での意思伝達に加えてポインタオブジェクトの表示が行われる場合、口頭での意思伝達のみに対して、ポインタオブジェクトによる視覚的な意思伝達がさらに加えられるので、より正確な意思伝達が可能となる。
・注目させ確認をさせたい注目箇所を、ポインタオブジェクトによって強調することが可能となるので、医療知識が乏しい者に対しても、注目箇所を的確に伝えることができる。
・ポインタオブジェクトの表示制御は、所定の操作により行うことが可能であり、所定の操作には、例えば、フットスイッチＦＳによる操作や、視線などによるジェスチャ操作など、手を使わない操作が含まれうる。よって、例えば、医療行為を術者が行っている場合であっても、術者は、手を使わずにポインタオブジェクトによる指示を出すことができる。
・ポインタオブジェクトの表示制御に係る所定の操作には、例えば、リモートコントローラに対する操作など、術者に限られない様々な者が操作可能な操作デバイスに対する操作が含まれうる。よって、ポインタオブジェクトの表示は、例えば、手術現場とは別室の表示装置の表示画面を見ている指導医などの、手術現場に存在する者以外の者の操作によって、制御されてもよい。
・ポインタオブジェクトが医療用撮像画像に重畳されているデータを記録媒体に記録させることによって、当該データを、術後の検討目的や教育目的などの様々な目的に使用することができる。上述したように、ポインタオブジェクトが医療用撮像画像に重畳されているデータとしては、例えば、ポインタオブジェクトが医療用撮像画像に合成されているデータが挙げられる。また、上述したように、ポインタオブジェクトを示すデータと医療用撮像画像を示すデータとは、任意の方法で対応付けて記録されてもよい。
【０２０８】
（本実施形態に係るプログラム）
コンピュータシステムを、本実施形態に係る医療用観察装置（または、本実施形態に係る医療用表示制御装置）として機能させるためのプログラム（例えば、本実施形態に係る表示制御方法に係る処理を実行することが可能なプログラム）が、コンピュータシステムにおいてプロセッサなどにより実行されることによって、医療用撮像画像が表示される表示画面を見る者の利便性の向上を図ることができる。ここで、本実施形態に係るコンピュータシステムとしては、単体のコンピュータ、または、複数のコンピュータが挙げられる。本実施形態に係るコンピュータシステムによって、本実施形態に係る表示制御方法に係る一連の処理が行われる。
【０２０９】
また、コンピュータシステムを、本実施形態に係る医療用観察装置（または、本実施形態に係る医療用表示制御装置）として機能させるためのプログラムが、コンピュータシステムにおいてプロセッサなどにより実行されることによって、上述した本実施形態に係る表示制御方法に係る処理によって実現される表示によって奏される効果を、奏することができる。
【０２１０】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到しうることは明らかであり、これらについても、当然に本開示の技術的範囲に属するものと了解される。
【０２１１】
例えば、上記では、コンピュータシステムを、本実施形態に係る医療用観察装置（または、本実施形態に係る医療用表示制御装置）として機能させるためのプログラム（コンピュータプログラム）が提供されることを示したが、本実施形態は、さらに、上記プログラムを記憶させた記録媒体も、併せて提供することができる。
【０２１２】
上述した構成は、本実施形態の一例を示すものであり、当然に、本開示の技術的範囲に属するものである。
【０２１３】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２１４】
なお、以下のような構成も本開示の技術的範囲に属する。
（１）
観察対象を撮像する撮像デバイスにより撮像された右目用の医療用撮像画像および左目用の医療用撮像画像の表示画面への表示と、ポインタオブジェクトの前記表示画面への表示とを制御する表示制御部を備え、
前記表示制御部は、前記ポインタオブジェクトを、前記右目用の医療用撮像画像および前記左目用の医療用撮像画像の奥行き位置に対応するように表示させる、医療用表示制御装置。
（２）
前記表示制御部は、前記ポインタオブジェクトの奥行き位置を調整して、前記ポインタオブジェクトを、前記右目用の医療用撮像画像および前記左目用の医療用撮像画像の奥行き位置に対応するように表示させる、（１）に記載の医療用表示制御装置。
（３）
前記表示制御部は、前記ポインタオブジェクトの奥行き感が、前記右目用の医療用撮像画像および前記左目用の医療用撮像画像の奥行き感となるように、前記ポインタオブジェクトの奥行き位置を調整する、（２）に記載の医療用表示制御装置。
（４）
前記表示制御部は、前記ポインタオブジェクトの奥行き位置が、前記右目用の医療用撮像画像および前記左目用の医療用撮像画像の奥行き位置に近づくように、前記ポインタオブジェクトの奥行き位置を調整する、（２）または（３）に記載の医療用表示制御装置。
（５）
前記表示制御部は、前記ポインタオブジェクトの奥行き位置を、前記右目用の医療用撮像画像および前記左目用の医療用撮像画像の奥行き位置に調整する、（４）に記載の医療用表示制御装置。
（６）
前記表示制御部は、所定の操作に基づいて、ポインタオブジェクトの表示画面への表示を制御する、（１）〜（５）のいずれか１つに記載の医療用表示制御装置。
（７）
前記表示制御部は、
前記ポインタオブジェクトにより指し示す領域を決定する領域決定操作が行われる前は、前記ポインタオブジェクトを、前記右目用の医療用撮像画像および前記左目用の医療用撮像画像の奥行き位置よりも手前側の奥行き位置となるように、表示させ、
前記領域決定操作が行われた場合に、前記ポインタオブジェクトを、前記右目用の医療用撮像画像および前記左目用の医療用撮像画像の奥行き位置に対応するように表示させる、（６）に記載の医療用表示制御装置。
（８）
前記表示制御部は、
前記ポインタオブジェクトを移動させる移動操作に基づいて、前記移動操作に対応する前記表示画面の位置に前記ポインタオブジェクトを表示させ、
前記ポインタオブジェクトにより指し示す領域を設定する領域設定操作に基づいて、前記ポインタオブジェクトの大きさを前記領域設定操作に対応する大きさとなるように変更する、（６）または（７）に記載の医療用表示制御装置。
（９）
前記表示制御部は、前記ポインタオブジェクトの表示色を、前記表示画面に表示される医療用撮像画像に対応する色とし、
前記ポインタオブジェクトの表示色は、前記ポインタオブジェクトが表示される前記表示画面の位置における医療用撮像画像の色に応じて変更される、（１）〜（８）のいずれか１つに記載の医療用表示制御装置。
（１０）
前記表示制御部は、前記ポインタオブジェクトの表示色を、前記ポインタオブジェクトが表示される前記表示画面の位置における医療用撮像画像の色の補色とする、（９）に記載の医療用表示制御装置。
（１１）
前記表示制御部は、前記ポインタオブジェクトの表示色を、前記ポインタオブジェクトが指し示す領域に含まれる医療用撮像画像の色のうちの特定の色の補色とする、（９）に記載の医療用表示制御装置。
（１２）
前記特定の色は、前記ポインタオブジェクトが指し示す領域に含まれる医療用撮像画像の色のうちの、最も多い色成分の色である、（１１）に記載の医療用表示制御装置。
（１３）
複数のリンクが関節部によって互いに連結されて構成されるアームと、
前記アームにより支持されている前記撮像デバイスと、
をさらに備える、（１）〜（１２）のいずれか１つに記載の医療用表示制御装置。
（１４）
患者の体内に挿入され、前記体内を前記観察対象として撮像する前記撮像デバイスをさらに備える、（１）〜（１２）のいずれか１つに記載の医療用表示制御装置。
（１５）
観察対象を撮像する撮像デバイスにより撮像された右目用の医療用撮像画像および左目用の医療用撮像画像の表示画面への表示と、ポインタオブジェクトの前記表示画面への表示とを制御するステップを有し、
前記制御するステップでは、前記ポインタオブジェクトが、前記右目用の医療用撮像画像および前記左目用の医療用撮像画像の奥行き位置に対応するように表示される、医療用表示制御装置により実行される表示制御方法。
【符号の説明】
【０２１５】
１００    医療用観察装置
１０２    ベース
１０４    アーム
１０６    撮像デバイス
１１０ａ、１１０ｂ、１１０ｃ、１１０ｄ、１１０ｅ、１１０ｆ    関節部
１１２ａ、１１２ｂ、１１２ｃ、１１２ｄ、１１２ｅ、１１２ｆ    リンク
１２０    撮像部材
１２２    筒状部材
１２４    ズームスイッチ
１２６    フォーカススイッチ
１２８    動作モード変更スイッチ
１３４    挿入部材
１３６    光源ユニット
１３８    ライトガイド
１４０    カメラヘッド
１４２    ケーブル
１４４    制御ユニット
１５０    撮像部
１５２    通信部
１５４    制御部
１５６    撮像制御部
１５８    表示制御部
２００    表示装置
１０００    医療用観察システム
【図１】
2019154886.tif 000003
【図２】
2019154886.tif 000004
【図３】
2019154886.tif 000005
【図４】
2019154886.tif 000006
【図５】
2019154886.tif 000007
【図６】
2019154886.tif 000008
【図７】
2019154886.tif 000009